(57)【特許請求の範囲】
【請求項１】
エンハンスド物理ダウンリンク制御チャネル（Ｅ−ＰＤＣＣＨ）のサーチスペース候補のセットを、ダウンリンク制御情報（ＤＣＩ）のアグリゲーションレベルと、隣接するサーチスペース候補間の所定の間隔と、前記Ｅ−ＰＤＣＣＨの仮想リソースブロック（ＶＲＢ）の数とに基づいて決定するとともに、サーチスペース候補の前記セットをＤＣＩの想定し得るベアラとなるように決定し、
サーチスペース候補の前記セットから１つ以上のＶＲＢを選択し、
ＤＣＩを選択された前記ＶＲＢへとエンコードする、
ように構成されるエンコーダと、
ダウンリンクフレームでのユーザ機器への送信のために前記Ｅ−ＰＤＣＣＨの前記ＶＲＢを物理リソースブロック（ＰＲＢ）へマッピングするように構成されるマッパーと、
を備え、
前記エンコーダは、選択された前記ＶＲＢ間の所定の間隔を前記ＤＣＩのアグリゲーションレベルに基づいて決定するように構成され、
前記エンコーダは、
【数７６】
0005885854.tif 000077
に基づき、それぞれのＥ−ＰＤＣＣＨ送信のための前記ＶＲＢの最小指数が２の倍数となるようにするために、サーチスペース候補の前記セットから１つ以上の前記ＶＲＢを前記ＤＣＩの想定し得るベアラとなるように選択するべく構成され、式中、Λは、複数のアグリゲーションレベルのうちの１つであり、式中、
【数７７】
0005885854.tif 000078
は、サブフレームｋにおけるアグリゲーションレベルΛと関連するＥ−ＰＤＣＣＨ送信のための所定数のＶＲＢのうちの１つの指数であり、式中、
【数７８】
0005885854.tif 000079
は、前記複数のアグリゲーションレベルΛのうちの１つと関連する隣接する前記サーチスペース候補間のＶＲＢ間隔であり、式中、
【数７９】
0005885854.tif 000080
は、ＶＲＢ間隔計算のために上位層信号伝達によって予め規定される１つのパラメータであり、式中、
【数８０】
0005885854.tif 000081
は、Ｅ−ＰＤＣＣＨ送信のために割り当てられる前記ＶＲＢの数であり、式中、ｍ＝０，...，Ｍ（Λ）−１であり、式中、Ｍ（Λ）は、前記複数のアグリゲーションレベルΛのうちの１つと関連する選択された前記ＶＲＢの数であり、式中、ｉ＝０，...，（Λ−１）であり、
【数８１】
0005885854.tif 000082
はＶＲＢのベースライン数であり、前記エンコーダは、前記ＶＲＢの数
【数８２】
0005885854.tif 000083
が
【数８３】
0005885854.tif 000084
よりも大きい場合には、前記ＶＲＢの数
【数８４】
0005885854.tif 000085
と前記ベースライン数
【数８５】
0005885854.tif 000086
との間の差に基づいて、選択された前記ＶＲＢ間に更なる所定の間隔を挿入するように更に構成される、装置。
【請求項２】
エンハンスド物理ダウンリンク制御チャネル（Ｅ−ＰＤＣＣＨ）のサーチスペース候補のセットを、ダウンリンク制御情報（ＤＣＩ）のアグリゲーションレベルと、隣接するサーチスペース候補間の所定の間隔と、前記Ｅ−ＰＤＣＣＨの仮想リソースブロック（ＶＲＢ）の数とに基づいて決定するとともに、サーチスペース候補の前記セットをＤＣＩの想定し得るベアラとなるように決定し、
サーチスペース候補の前記セットから１つ以上のＶＲＢを選択し、
ＤＣＩを選択された前記ＶＲＢへとエンコードする、
ように構成されるエンコーダと、
ダウンリンクフレームでのユーザ機器への送信のために前記Ｅ−ＰＤＣＣＨの前記ＶＲＢを物理リソースブロック（ＰＲＢ）へマッピングするように構成されるマッパーと、
を備え、
前記エンコーダは、選択された前記ＶＲＢ間の所定の間隔を前記ＤＣＩのアグリゲーションレベルに基づいて決定するように構成され、
前記エンコーダは、
【数８６】
0005885854.tif 000087
に基づき、サーチスペース候補の前記セットから１つ以上のＶＲＢを選択するように構成され、式中、Λは前記ＤＣＩのアグリゲーションレベルであり、式中、
【数８７】
0005885854.tif 000088
は、サブフレームｋにおけるアグリゲーションレベルΛと関連するＥ−ＰＤＣＣＨ送信のための所定数の前記ＶＲＢのうちの１つの指数であり、式中、β（Λ）は候補セット識別子であり、式中、
【数８８】
0005885854.tif 000089
は前記ＶＲＢの数であり、式中、ｍ＝０，...，Ｍ（Λ）−１であり、Ｍ（Λ）は、Λと関連する選択された前記ＶＲＢの数であり、式中、ｉ＝０，...，（Λ−１）である、装置。
【請求項３】
前記装置がｅＮｏｄｅＢを含む、請求項１または２に記載の装置。
【請求項４】
前記ＰＲＢは、前記Ｅ−ＰＤＣＣＨと関連する物理ダウンリンク共有チャネル（ＰＤＳＣＨ）からの所定数のリソースブロックを含む、請求項１から３のいずれか１項に記載の装置。
【請求項５】
前記ＰＤＳＣＨは、第３世代パートナーシッププロジェクト（３ＧＰＰ）ロングタームエボリューション−アドバンスト（ＬＴＥ−Ａ）通信規格のリリース１０によって規定される、請求項４に記載の装置。
【請求項６】
選択された前記ＶＲＢ間の所定の間隔は、前記Ｅ−ＰＤＣＣＨの所定数の前記ＶＲＢ間の選択された前記ＶＲＢの均一な分配に基づく、請求項１から５のいずれか１項に記載の装置。
【請求項７】
前記アグリゲーションレベルは、第１、第２、第３、および第４のＤＣＩアグリゲーションレベルを含む複数のＤＣＩアグリゲーションレベルのうちの１つである、請求項１から６のいずれか１項に記載の装置。
【請求項８】
前記エンコーダは、前記アグリゲーションレベルΛと関連する隣接する前記サーチスペース候補から１つ以上のＶＲＢを選択するように構成される、請求項１から７のいずれか１項に記載の装置。
【請求項９】
アンテナと、
請求項１〜８のいずれか１項に記載の装置と、
を備える基地局。
【請求項１０】
装置によって実行される方法であって、
エンハンスド物理ダウンリンク制御チャネル（Ｅ−ＰＤＣＣＨ）のサーチスペース候補のセットを、ダウンリンク制御情報（ＤＣＩ）のアグリゲーションレベルと、前記Ｅ−ＰＤＣＣＨの仮想リソースブロック（ＶＲＢ）の数と、候補セット識別子とに基づいて決定するとともに、サーチスペース候補の前記セットを前記ＤＣＩの想定し得るベアラとなるように決定する段階と、
サーチスペース候補の前記セットから１つ以上のＶＲＢを選択する段階と、
サーチスペース候補の前記セットと関連する所定数の前記ＶＲＢのうちの幾つかへＤＣＩをエンコードする段階と、
ダウンリンクフレームでのユーザ機器への送信のために前記Ｅ−ＰＤＣＣＨの所定数の前記ＶＲＢを物理リソースブロック（ＰＲＢ）へとマッピングする段階と
を備え、
選択された前記ＶＲＢ間の所定の間隔を前記ＤＣＩのアグリゲーションレベルに基づいて決定する段階と、
【数８９】
0005885854.tif 000090
に基づき、それぞれのＥ−ＰＤＣＣＨ送信のための前記ＶＲＢの最小指数が２の倍数となるようにするために、サーチスペース候補の前記セットから１つ以上の前記ＶＲＢを前記ＤＣＩの想定し得るベアラとなるように選択する段階であって、式中、Λは、複数のアグリゲーションレベルのうちの１つであり、式中、
【数９０】
0005885854.tif 000091
は、サブフレームｋにおけるアグリゲーションレベルΛと関連するＥ−ＰＤＣＣＨ送信のための所定数のＶＲＢのうちの１つの指数であり、式中、
【数９１】
0005885854.tif 000092
は、前記複数のアグリゲーションレベルΛのうちの１つと関連する隣接する前記サーチスペース候補間のＶＲＢ間隔であり、式中、
【数９２】
0005885854.tif 000093
は、ＶＲＢ間隔計算のために上位層信号伝達によって予め規定される１つのパラメータであり、式中、
【数９３】
0005885854.tif 000094
は、Ｅ−ＰＤＣＣＨ送信のために割り当てられる前記ＶＲＢの数であり、式中、ｍ＝０，...，Ｍ（Λ）−１であり、式中、Ｍ（Λ）は、前記複数のアグリゲーションレベルΛのうちの１つと関連する選択された前記ＶＲＢの数であり、式中、ｉ＝０，...，（Λ−１）であり、
【数９４】
0005885854.tif 000095
はＶＲＢのベースライン数である、段階と、
前記ＶＲＢの数
【数９５】
0005885854.tif 000096
が
【数９６】
0005885854.tif 000097
よりも大きい場合には、前記ＶＲＢの数
【数９７】
0005885854.tif 000098
と前記ベースライン数
【数９８】
0005885854.tif 000099
との間の差に基づいて、選択された前記ＶＲＢ間に更なる所定の間隔を挿入する段階と
を含む、
方法。
【請求項１１】
装置によって実行される方法であって、
エンハンスド物理ダウンリンク制御チャネル（Ｅ−ＰＤＣＣＨ）のサーチスペース候補のセットを、ダウンリンク制御情報（ＤＣＩ）のアグリゲーションレベルと、前記Ｅ−ＰＤＣＣＨの仮想リソースブロック（ＶＲＢ）の数と、候補セット識別子とに基づいて決定するとともに、サーチスペース候補の前記セットを前記ＤＣＩの想定し得るベアラとなるように決定する段階と、
サーチスペース候補の前記セットから１つ以上のＶＲＢを選択する段階と、
サーチスペース候補の前記セットと関連する所定数の前記ＶＲＢのうちの幾つかへＤＣＩをエンコードする段階と、
ダウンリンクフレームでのユーザ機器への送信のために前記Ｅ−ＰＤＣＣＨの所定数の前記ＶＲＢを物理リソースブロック（ＰＲＢ）へとマッピングする段階と
を備え、
選択された前記ＶＲＢ間の所定の間隔を前記ＤＣＩのアグリゲーションレベルに基づいて決定する段階と、
【数９９】
0005885854.tif 000100
に基づき、サーチスペース候補の前記セットから１つ以上のＶＲＢを選択する段階と
を含み、式中、Λは前記ＤＣＩのアグリゲーションレベルであり、式中、
【数１００】
0005885854.tif 000101
は、サブフレームｋにおけるアグリゲーションレベルΛと関連するＥ−ＰＤＣＣＨ送信のための所定数の前記ＶＲＢのうちの１つの指数であり、式中、β（Λ）は候補セット識別子であり、式中、
【数１０１】
0005885854.tif 000102
は前記ＶＲＢの数であり、式中、ｍ＝０，...，Ｍ（Λ）−１であり、Ｍ（Λ）は、Λと関連する選択された前記ＶＲＢの数であり、式中、ｉ＝０，...，（Λ−１）である、
方法。
【請求項１２】
前記装置がｅＮｏｄｅＢを含む、請求項１０または１１に記載の方法。
【請求項１３】
サーチスペース候補の前記セットを決定する段階と、
１つ以上の前記ＶＲＢを選択する段階と、
前記ＤＣＩをエンコードする段階と
を備える請求項１０から１２のいずれか１項に記載の方法。
【請求項１４】
所定数の前記ＶＲＢ間で等しい所定の間隔を伴ってサブセットを分配する段階
を備える請求項１０から１３のいずれか１項に記載の方法。
【請求項１５】
コンピュータに、請求項１０から１４のいずれか１項に記載の方法を実行させるためのプログラム。
【発明の詳細な説明】
【技術分野】
【０００１】
関連出願の相互参照  本出願は、「ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳ」と題される２０１１年１１月４日に出願された米国仮特許出願第６１／５５６，１０９号の優先権を主張し、前記仮特許出願の開示全体が参照することにより本願に組み入れられる。
【０００２】
本発明の実施形態は、一般に通信の分野に関し、特に無線通信ネットワークにおけるサーチスペース決定に関する。
【背景技術】
【０００３】
第３世代パートナーシッププロジェクト（３ＧＰＰ）ロングタームエボリューション−アドバンスト（ＬＴＥ−Ａ）無線通信標準規格は、マルチユーザ多入力多出力（ＭＵ−ＭＩＭＯ）システムへのサポートを加えるように変更される場合がある。結果として、基地局は、ＭＵ−ＭＩＭＯ動作中に、より多くの携帯機器、例えばユーザ機器（ＵＥ）を各ＬＴＥ−Ａサブフレームへとスケジューリングできる場合がある。より多くのＵＥをスケジューリングすると、ダウンリンクスケジューリングに利用できる物理ダウンリンク制御チャネル（ＰＤＣＣＨ）リソースが減少する場合がある。ＬＴＥ−ＡにおけるＰＤＣＣＨ設計のリリース８、９、１０は、最大ＰＤＣＣＨサイズを３直交周波数分割多重（ＯＦＤＭ）シンボルに制限する場合がある。しかしながら、３ＯＦＤＭシンボルは、ＭＵ−ＭＩＭＯ動作と関連するリソースに対する需要の想定し得る増大に対応できそうにない。したがって、ＭＵ−ＭＩＭＯ動作の実施可能性と相まったＯＦＤＭシンボルの３の制限は、ＭＵ−ＭＩＭＯ動作を通じて利用できる場合があるスケジューリング利得および周波数を制限する場合がある。
【発明の概要】
【０００４】
同様の参照数字が同様の要素を示す添付図面の図において、本発明の実施形態を一例として非限定的に説明する。
【図面の簡単な説明】
【０００５】
【図１】様々な実施形態に係る無線通信ネットワークを概略的に示す。
【図２Ａ】様々な実施形態に係るサーチスペース候補割り当ての図を示す。
【図２Ｂ】様々な実施形態に係るサーチスペース候補割り当ての図を示す。
【図３Ａ】様々な実施形態に係るサーチスペース候補割り当ての図を示す。
【図３Ｂ】様々な実施形態に係るサーチスペース候補割り当ての図を示す。
【図４Ａ】様々な実施形態に係るサーチスペース候補割り当ての図を示す。
【図４Ｂ】様々な実施形態に係るサーチスペース候補割り当ての図を示す。
【図５】様々な実施形態に係るサーチスペース候補割り当ての図を示す。
【図６】様々な実施形態に係る基地局を動作させる方法のフロー図を示す。
【図７】様々な実施形態に係る基地局を動作させる方法のフロー図を示す。
【図８】様々な実施形態に係るシステムの一例を概略的に描く。
【発明を実施するための形態】
【０００６】
本開示の例示的な実施形態は、無線通信ネットワークにおけるサーチスペース決定のための方法、システム、および装置を含むが、これらに限定されない。
【０００７】
当業者の研究の内容を他の当業者へ伝えるために当業者により一般に使用される用語を用いて、例示的な実施形態の様々な態様について説明する。しかしながら、当業者であれば分かるように、説明した態様の一部と共に使用して幾つかの別の実施形態が実施されてもよい。説明の目的で、例示的な実施形態の完全な理解を与えるために、特定の数、材料、および構成が記載される。しかしながら、当業者であれば分かるように、特定の詳細を伴うことなく、別の実施形態が実施されてもよい。他の場合には、例示的な実施形態を分かりにくくしないように、良く知られた特徴が省かれ或いは簡略化される。
【０００８】
また、例示的な実施形態の理解に最も役立つ態様で、様々な動作を複数の別個の動作として順次に説明するが、説明の順序は、これらの動作が必ず順序に依存することを意味するように解釈されるべきでない。特に、これらの動作は、与えられた順序で行なわれる必要がない。
【０００９】
「１つの実施形態」なる語句が繰り返し使用される。この語句は、一般に、同じ実施形態のことに言及していないが、同じ実施形態であってもよい。「備える」、「有する」、および「含む」という用語は、文脈が別段定めなければ同意語である。語句「Ａ／Ｂ」は「ＡまたはＢ」を意味する。語句「Ａおよび／またはＢ」は「（Ａ）、（Ｂ）、または（ＡおよびＢ）」を意味する。語句「Ａ、Ｂ、およびＣのうちの少なくとも１つ」は「（Ａ）、（Ｂ）、（Ｃ）、（ＡおよびＢ）、（ＡおよびＣ）、（ＢおよびＣ）、または（Ａ、Ｂ、およびＣ）」を意味する。語句「（Ａ）Ｂ」は「（Ｂ）または（ＡＢ）」を意味し、すなわち、Ａは任意である。
【００１０】
本明細書中では、特定の実施形態を図示して説明しているが、当業者であれば分かるように、本開示の実施形態の範囲から逸脱することなく、多種多様な代わりのおよび／または等価な実施が、図示して説明される特定の実施形態に取って代えられてもよい。この出願は、本明細書中で論じられる実施形態の任意の適合または変化を網羅するように意図される。したがって、本開示の実施形態が特許請求の範囲およびその等価物のみによって限定されることが明らかに意図される。
【００１１】
本明細書中で使用される用語「モジュール」とは、特定用途向け集積回路（ＡＳＩＣ）、電子回路、１つ以上のソフトウェアプログラムまたはファームウェアプロセスを実行するプロセッサ（共有、専用、またはグループ）および／またはメモリ、組み合わせ論理回路、および／または、説明された機能性を与える他の適したコンポーネントのことであってもよく、これらの一部であってもよく、これらを含んでもよい。
【００１２】
図１は、様々な実施形態に係る無線通信ネットワーク１００を概略的に示す。無線通信ネットワーク１００（以下、「ネットワーク１００」）は、次世代汎用移動通信システム（ＵＭＴＳ）地上波無線アクセスネットワーク（Ｅ−ＵＴＲＡＮ）などの第３世代パートナーシッププロジェクト（３ＧＰＰ）ロングタームエボリューション（ＬＴＥ）ネットワークのアクセスネットワークであってもよい。ネットワーク１００は、携帯機器または携帯端末、例えばユーザ機器（ＵＥ）１０８と無線通信するように構成される基地局、例えばエンハンスドノード基地局（ｅＮＢ）１０４を含んでもよい。本発明の実施形態はＬＴＥネットワークに関連して説明されるが、幾つかの実施形態は他のタイプの無線アクセスネットワークと共に使用されてもよい。
【００１３】
ｅＮＢ１０４は、ＵＥ１０８との通信、例えばＭＵ−ＭＩＭＯ動作との通信をスケジューリングするために、使用するＰＤＣＣＨと関連する利得限界を克服するように構成されてもよい。実施形態において、ｅＮＢ１０４は、そのような目的のために使用されてこなかったかもしれない物理ダウンリンク共有チャネル（ＰＤＳＣＨ）スペースへのダウンリンク制御情報（ＤＣＩ）送信を拡張することによってＬＴＥ無線通信中にスケジューリングされてもよいＵＥ１０８の数を増大させるように構成されてもよい。特に、ｅＮＢ１０４は、ＰＤＳＣＨスペース内で制御スペースを規定することによってサーチスペース候補（すなわち、ＤＣＩの想定し得るベアラ）を決定する、規定する、および／または、割り当てるように構成されてもよい。この新たな制御スペースは、エンハンスド物理ダウンリンク制御チャネル（Ｅ−ＰＤＣＣＨ）内に含まれてもよい。これは、少なくとも、Ｅ−ＰＤＣＣＨ動作がＰＤＣＣＨ動作の能力を拡張して高めることができるからである。
【００１４】
実施形態において、Ｅ−ＰＤＣＣＨは、Ｅ−ＰＤＣＣＨ動作がＰＤＳＣＨリソースブロックの一部を費やすようにＰＤＳＣＨと関連付けられてもよい。他の実施形態において、従前の３ＧＰＰ  ＬＴＥリリースにおいてＰＤＳＣＨに割り当てられたリソースブロックは、ＰＤＳＣＨの定義から取り除かれて、ＰＤＳＣＨとは無関係なリソースブロックとしてＥ−ＰＤＳＣＨに割り当てられてもよい。実施形態において、Ｅ−ＰＤＣＣＨは、ＰＤＣＣＨ、Ｅ−ＰＤＣＣＨ、およびＰＤＳＣＨに同時に同じリソースブロックの一部が割り当てられるように、ＰＤＣＣＨに割り当てられるリソースブロックの一部と、ＰＤＳＣＨに割り当てられるリソースブロックの一部とを費やすべく規定されてもよい。
【００１５】
ｅＮＢ１０４は、受信モジュール１１２、送信モジュール１１６、およびプロセッサモジュール１２０を含んでもよい。ｅＮＢ１０４は、受信モジュール１１２を使用して、ＵＥ１０８から信号を受信してもよい。ｅＮＢ１０４は、送信モジュール１１６を使用して、ＵＥ１０８へ信号を送信してもよい。受信モジュール１１２および送信モジュール１１６は、１つ以上のアンテナ１２４を使用して信号を送受信してもよい。プロセッサモジュール１２０は、ＵＥ１０８から情報を受けるために受信モジュール１１２に結合されてもよく、また、ＵＥ１０８へ情報を送信するために送信モジュール１１６に結合されてもよい。
【００１６】
プロセッサモジュール１２０は通信モジュール１２８を含んでもよい。プロセッサモジュール１２０は、通信モジュール１２８を介してＵＥ１０８との通信を開始して維持するように構成されてもよい。通信モジュール１２８は、特定のサーチスペース設計と関連する所定数の仮想リソースブロック（ＶＲＢ）をそのサーチスペースのために割り当てられた所定数の物理リソースブロック（ＰＲＢ）へマッピングするように構成されるマッパーモジュール１３０を含んでもよい。通信モジュール１２８は、ＰＤＳＣＨ、ＰＤＣＣＨ、およびＥ−ＰＤＣＣＨのうちの１つ以上を介してＵＥ１０８へ信号を送信するように構成されてもよい。
【００１７】
Ｅ−ＰＤＣＣＨは、（制御チャネルエレメント（ＣＣＥ）ベースの代わりに）物理リソースブロック（ＰＲＢ）ベースの多重化を使用して、ＰＤＳＣＨ領域内に導入されてもよい。Ｅ−ＰＤＣＣＨは、異機種ネットワーク（ヘットネット）シナリオにおいて、ＰＤＣＣＨ容量と、ボルスターエンハンスドセル間干渉調整（ｅＩＣＩＣ）サポートとを高めるために使用されてもよい。レガシーＰＤＣＣＨシステムに関してＩＣＩＣを行なうことができないのは、ＰＤＣＣＨインターリービングに起因する場合がある。言い換えると、ＤＣＩフォーマットの送信のために使用されるＰＤＣＣＨ  ＣＣＥは、チャネルの帯域幅（ＢＷ）全体にわたって不規則な態様で分配される場合があり、また、ＩＣＩＣの実行を困難にする場合がある。一方、ＰＤＳＣＨ領域におけるＥ−ＰＤＣＣＨは、ＰＲＢベースであってもよく、それにより、周波数領域ＩＣＩＣをサポートする利点を拡張してもよい。以下で更に詳しく述べるように、実施形態では、Ｅ−ＰＤＣＣＨがＵＥ１０８のためにサーチスペースを規定するおよび／または割り当てることによって実施されてもよい。
【００１８】
プロセッサモジュール１２０がエンコーダモジュール１３２を含んでもよい。エンコーダモジュール１３２は、エンコーダとして構成されてもよく、また、サーチスペースの様々なパラメータを規定してもよい。サーチスペースは、ＰＤＣＣＨブラインドデコーディング中にＵＥ１０８により追跡されるべきリソースのセットであってもよい。サーチスペース設計は、Ｅ−ＰＤＣＣＨ動作の多くの態様のうちの１つであってもよい。３ＧＰＰ  ＬＴＥ−Ａのリリース１０にはリレーＰＤＣＣＨ（Ｒ−ＰＤＣＣＨ）が導入された。また、Ｒ−ＰＤＣＣＨが確立された基準を与えてもよく、この基準から、Ｅ−ＰＤＣＣＨが３ＧＰＰ  ＬＴＥ−Ａのリリース１１において実施されてもよい。しかしながら、Ｅ−ＰＤＣＣＨは、Ｒ−ＰＤＣＣＨに優る大きな利得利益を与えてもよい。例えば、周波数ダイバーシティ利得および周波数スケジューリング利得の両方がＥ−ＰＤＣＣＨ動作において同時に利用されてもよい。他の例として、Ｅ−ＰＤＣＣＨは、より小さいアグリゲーションレベル（例えば、アグリゲーションレベル１およびアグリゲーションレベル２）において役立ち得るチャネル依存Ｅ−ＰＤＣＣＨスケジューリング利得をＵＥ１０８が十分に利用できるようにしてもよい。本明細書中で使用されるアグリゲーションレベルは、１つのＤＣＩフォーマットを送信するために集められるＣＣＥの数として規定されてもよい。後段の図では、Ｅ−ＰＤＣＣＨサーチスペース設計の実施形態について説明する。後述する実施形態の１つの利点は、ｅＮＢ１０４によって構成されるＥ−ＰＤＣＣＨのために割り当てられる全ての想定し得る物理リソースブロック（ＰＲＢ）にわたってサーチスペースを広げることができ、また、サーチスペースによって、より多くのＵＥを既に存在するリソースにわたってスケジューリングできるという点である。
【００１９】
ＬＴＥリリース１０において、バックホール制御情報のための仮想リソースブロック（ＶＲＢ）の１つのセットは、リレーノード（ＲＮ）固有の基準に基づいて上位層により半静的に構成されてしまってもよい。リリース８サーチスペース方法論は、ＬＴＥリリース１０のＲ−ＰＤＣＣＨ設計のために再使用された。しかしながら、あるとすれば、Ｒ−ＰＤＣＣＨのための周波数スケジューリング利得を利用するという幾つかの最適化考慮がリリース１０に含まれた。低いアグリゲーションレベルで周波数スケジューリング利得を可能にするために、本明細書中に記載される技術は、割り当てられたＶＲＢにわたってサーチスペース候補を広げるべく使用されてもよい。
【００２０】
ＵＥ１０８において、プロセッサモジュール１４８は、受信モジュール１３６および送信モジュール１４０に結合されてもよく、また、ＵＥ１０８とｅＮＢ１０４との間で通信される信号の状態で送信される情報をデコードおよびエンコードするように構成されてもよい。プロセッサモジュールは通信モジュール１５２とデコーダモジュール１５６とを含んでもよい。プロセッサモジュール１４８は、通信モジュール１５２を使用して、ＰＤＣＣＨ、ＰＤＳＣＨ、およびＥ−ＰＤＣＣＨのうちの任意の１つ以上を介してｅＮＢ１０４からデータを受けるおよび／またはｅＮＢ１０４からの情報を制御するように構成されてもよい。デコーダモジュール１５６は、通信モジュール１５２に結合されてもよく、また、多くのＶＲＢによって伝えられるダウンリンク制御情報（ＤＣＩ）をデコードするように構成されてもよい。ＶＲＢは、Ｅ−ＰＤＣＣＨのサーチスペース候補として割り当てられてもよい。また、デコーダモジュール１５６は、サーチスペース候補のうちの隣接する候補間に位置される場合がある１つ以上のＶＲＢギャップを飛び越えて、ＵＥ１０８に関連するサーチスペースにより規定されるサーチスペース候補をチェックするように構成されてもよい。ＶＲＢのギャップを飛び越えることにより、デコーダモジュール１５６は、ＵＥ１０８が計算サイクルを減らして電力消費量を減らすことができるようにしてもよい。
【００２１】
図２Ａおよび図２Ｂは、様々な実施形態にしたがって、ＤＣＩのアグリゲーションレベルに基づき、また、隣接するサーチスペース候補間の所定の間隔に基づき、Ｅ−ＰＤＣＣＨのサーチスペース候補のセットを決定するサーチスペース設計を示す。
【００２２】
図２Ａおよび図２Ｂは、様々な実施形態における、ＤＣＩをエンコードするためにエンコーダモジュール１３２により使用されてもよいサーチスペース設計を示す。アグリゲーションレベルΛ＝｛１，２，４，８｝におけるＥ−ＰＤＣＣＨのＵＥ固有のサーチスペース
【数１】
0005885854.tif 000002
は、ＶＲＢの単位、例えば１６ＶＲＢに関してＥ−ＰＤＣＣＨリソースのセットによって規定されてもよい。想定し得るＤＣＩ送信のためにｅＮＢ１０４により割り当てられるＶＲＢのＵＥ固有の指数は、以下によって与えられる。
【数２】
0005885854.tif 000003
（方程式１）
【００２３】
方程式１において、
【数３】
0005885854.tif 000004
は、特定のＵＥのためのＥ−ＰＤＣＣＨリソースとして利用できるＶＲＢの総数であってもよい。ｉは、アグリゲーションレベルΛの指数であってもよく、また、ｉ＝０，...，Λ−１のセットの範囲にまたがってもよい。Ｍ（Λ）は、Ｅ−ＰＤＣＣＨリソースの所定のセット内で監視すべきサーチスペース候補の数であってもよい。ｍは、Ｅ−ＰＤＣＣＨリソースのそれぞれをｍ＝０，...，Ｍ（Λ）−１として指標付けしてもよい。パラメータ
【数４】
0005885854.tif 000005
は、ｅＮＢ１０４により構成されるおよび／または割り当てられる
【数５】
0005885854.tif 000006
個のＶＲＢ内のアグリゲーションレベルΛにおける２つの連続するサーチスペース候補間のＶＲＢギャップであってもよい。実施形態において、
【数６】
0005885854.tif 000007
は、例えば
【数７】
0005885854.tif 000008
の場合には、ＶＲＢのベースライン数に基づいて予め規定されてもよい。
【００２４】
開示の実施例によれば、ｅＮＢ１０４は、周波数スケジューリング利得をｅＮＢ１０４スケジューリングによって得ることができるように、方程式１にしたがって、アグリゲーションレベル１およびアグリゲーションレベル２において均一に分配されるサーチスペース候補内の１つ以上のＶＲＢへとＤＣＩをエンコードしてもよい。
【００２５】
ｅＮＢ１０４のエンコーダモジュール１３２は、方程式１を使用して、Ｅ−ＰＤＣＣＨリソースのセット
【数８】
0005885854.tif 000009
から、１つ以上のＶＲＢ
【数９】
0005885854.tif 000010
を選択してもよく、したがって、ｅＮＢ１０４は、利用可能なリソースのＶＲＢのうちの選択されたＶＲＢへとＤＣＩをエンコードしてもよい。その後、ｅＮＢ１０４は、マッパーモジュール１３０を用いて、エンコードされたＶＲＢをＵＥ１０８への送信のためにＰＲＢへとマッピングしてもよい。
【００２６】
ｅＮＢ１０４は、方程式１に基づいて図２Ａのサーチスペース候補を決定してもよい。図２Ａのサーチスペース設計に関して、ｅＮＢ１０４は、６個のサーチスペース候補がアグリゲーションレベル１およびアグリゲーションレベル２のそれぞれにおいて分配されてもよいことを決定してもよい。ｅＮＢ１０４は、２個のサーチスペース候補がアグリゲーションレベル４およびアグリゲーションレベル８のそれぞれにおいて分配されてもよいことを決定してもよい。ｅＮＢ１０４は、Ｅ−ＰＤＣＣＨにおいて、１６個のＶＲＢがＶＲＢのベースライン数
【数１０】
0005885854.tif 000011
として割り当てられることを決定してもよい。ｅＮＢ１０４は、サーチスペース候補間のベースラインギャップを
【数１１】
0005885854.tif 000012
となるように決定してもよい。ベースラインギャップ
【数１２】
0005885854.tif 000013
は、Λ＝｛１，２，４，８｝のそれぞれのアグリゲーションレベルに対応してもよい。図示のように、アグリゲーションレベル１におけるそれぞれの連続する或いは隣接するサーチスペース候補（暗線ボックスにより取り囲まれる１つ以上の灰色ボックスとして示される）間のＶＲＢギャップは２ＶＲＢであり、アグリゲーションレベル２においては１ＶＲＢであり、アグリゲーションレベル４においては４ＶＲＢであり、また、アグリゲーションレベル８においては０ＶＲＢである。
【００２７】
ｅＮＢ１０４は、方程式１を使用して、ＶＲＢのセット
【数１３】
0005885854.tif 000014
のうちのいずれのＶＲＢ
【数１４】
0005885854.tif 000015
へとＤＣＩがエンコードされるのかを決定してもよい。例えば、１つの実施形態によれば、ｅＮＢ１０４は、方程式１にしたがって、アグリゲーションレベル１においてＤＣＩが指数０、３、６、９、１２および／または１５を伴うＶＲＢへとエンコードされてもよいことを決定してもよい。１つの実施形態によれば、ｅＮＢ１０４は、アグリゲーションレベル２においてＤＣＩが指数０、１、３、４、６、７、９、１０、１２、１３、１５、１６を伴うＶＲＢへとエンコードされてもよいことを決定してもよい。他のアグリゲーションレベルは、図２Ａに示されている。
【００２８】
ｅＮＢ１０４は、ｅＮＢ１０４とＵＥ１０８との間の通信を可能にするために１つ以上のアグリゲーションレベルのＤＣＩを同時に送信してもよい。ｅＮＢ１０４は、送信のために使用される電力レベルに基づいてＤＣＩ送信のアグリゲーションレベルを変えてもよい。例えば、実施形態では、高い電力レベルで送信している間、ｅＮＢ１０４がアグリゲーションレベル１およびアグリゲーションレベル２のＤＣＩを送信してもよい。他の実施形態では、低い電力レベルで送信している間、ｅＮＢ１０４がアグリゲーションレベル４およびアグリゲーションレベル８のＤＣＩを送信してもよい。
【００２９】
ｅＮＢ１０４は、方程式１に基づいて図２Ｂのサーチスペース候補を決定してもよい。図２Ｂを参照すると、ベースセット、例えば
【数１５】
0005885854.tif 000016
よりも多い例えば
【数１６】
0005885854.tif 000017
のリソースのセットを有するＥ−ＰＤＣＣＨにおいて、連続するサーチスペース候補のそれぞれの間のギャップは、以下にしたがって決定されてもよい。
【数１７】
0005885854.tif 000018
（方程式２）  方程式２において、ベースラインＶＲＢギャップ
【数１８】
0005885854.tif 000019
は、図２Ａのサーチスペースに関して決定されたものと同じ、すなわち、
【数１９】
0005885854.tif 000020
であってもよく、またはＥ−ＰＤＣＣＨサーチスペース候補位置の最も低いＶＲＢ指数が２の倍数、すなわち、常に偶数となるようにするために、図２ＡのベースラインＶＲＢギャップとは異なる、すなわち、
【数２０】
0005885854.tif 000021
であってもよい。前述したように、Ｍ（Λ）は、特定のアグリゲーションレベルΛにおいて所定のサーチスペース内で監視すべきサーチスペース候補の数であってもよい。
【００３０】
他の実施形態によれば、ｅＮＢ１０４は、
【数２１】
0005885854.tif 000022
である限りは、サーチスペース候補間のギャップを決定するために方程式２を使用しなくてもよく、代わりに、ＶＲＢリソース
【数２２】
0005885854.tif 000023
内で各サーチスペース候補を他のサーチスペース候補から離して位置させることができる最大距離に基づき、サーチスペースに割り当てられるＶＲＢ間で候補を均一に分配してもよい。
【００３１】
１つの実施形態によれば、２４個のＥ−ＰＤＣＣＨリソースにおいて、すなわち、
【数２３】
0005885854.tif 000024
の場合において、ｅＮＢ１０４は、それぞれの各アグリゲーションレベルΛ＝｛１，２，４，８｝ごとに、連続するサーチスペース候補のそれぞれの間のギャップを
【数２４】
0005885854.tif 000025
となるように決定してもよい。
【００３２】
ｅＮＢ１０４は、方程式１を使用して、ＶＲＢのセット
【数２５】
0005885854.tif 000026
のうちのいずれのＶＲＢ
【数２６】
0005885854.tif 000027
へとＤＣＩがエンコードされるのかを決定してもよい。例えば、１つの実施形態によれば、ｅＮＢ１０４は、方程式１にしたがって、アグリゲーションレベル１においてＤＣＩが指数０、４、８、１２、１６、２０を伴うＶＲＢへとエンコードされてもよいことを決定してもよい。１つの実施形態によれば、ｅＮＢ１０４は、アグリゲーションレベル２においてＤＣＩが指数０、１、４、５、８、９、１２、１３、１６、１７、２０、２１を伴うＶＲＢへとエンコードされてもよいことを決定してもよい。アグリゲーションレベル４およびアグリゲーションレベル８に関して、Ｅ−ＰＤＣＣＨリソース
【数２７】
0005885854.tif 000028
におけるサーチ候補の分配例が図２Ｂに示される。
【００３３】
図３Ａは、Ｅ−ＰＤＣＣＨ送信のために構成される１６個のＶＲＢ、すなわち、
【数２８】
0005885854.tif 000029
を前提として、ｅＮＢ１０４が方程式１に基づいてＶＲＢベースラインギャップを
【数２９】
0005885854.tif 000030
となるように決定する、サーチスペース設計を示す。図示のように、アグリゲーションレベル１におけるそれぞれの連続する或いは隣接するサーチスペース候補（１つ以上の灰色ボックスとして示される）間のＶＲＢギャップは１ＶＲＢであり、アグリゲーションレベル２においては０ＶＲＢであり、アグリゲーションレベル４においては４ＶＲＢであり、また、アグリゲーションレベル８においては０ＶＲＢである。
【００３４】
ｅＮＢ１０４は、方程式１を使用して、ＶＲＢのセット
【数３０】
0005885854.tif 000031
のうちのいずれのＶＲＢ
【数３１】
0005885854.tif 000032
へとＤＣＩがエンコードされるのかを決定してもよい。例えば、１つの実施形態によれば、ｅＮＢ１０４は、方程式１にしたがって、アグリゲーションレベル１においてＤＣＩが指数０、２、４、６、８、１０を伴うＶＲＢへとエンコードされてもよいことを決定してもよい。１つの実施形態によれば、ｅＮＢ１０４は、アグリゲーションレベル２においてＤＣＩが指数０〜１１を伴うＶＲＢへとエンコードされてもよいことを決定してもよい。アグリゲーションレベル４およびアグリゲーションレベル８に関して、サーチスペースリソース
【数３２】
0005885854.tif 000033
におけるＥ−ＰＤＣＣＨ候補の分配例が図３Ａに示される。
【００３５】
図３Ｂは、ｅＮＢ１０４がＥ−ＰＤＣＣＨ送信のために２４個のＶＲＢを構成する場合における、すなわち、
【数３３】
0005885854.tif 000034
の場合における方程式１に基づいてもよい他のサーチスペース設計を示す。ＶＲＢリソースのベースセット、例えば
【数３４】
0005885854.tif 000035
よりも多いＶＲＢリソースのセットにおける隣接するサーチスペース候補のそれぞれの間のギャップは、前述したように、方程式２にしたがってｅＮＢ１０４により決定されてもよい。
【００３６】
図３Ｂに示されるサーチスペース設計において、ｅＮＢ１０４は、１つの実施形態によれば、方程式２を使用して、それぞれのアグリゲーションレベル｛１，２，４，８｝に関してＶＲＢギャップ
【数３５】
0005885854.tif 000036
が｛２，１，８，４｝であってもよいことを決定してもよい。
【００３７】
ｅＮＢ１０４は、方程式１を使用して、ＶＲＢのセット
【数３６】
0005885854.tif 000037
のうちのいずれのＶＲＢ
【数３７】
0005885854.tif 000038
へとＤＣＩがエンコードされるのかを決定してもよい。例えば、１つの実施形態によれば、ｅＮＢ１０４は、方程式１にしたがって、アグリゲーションレベル１においてＤＣＩが指数０、３、６、９、１２、１５を伴うＶＲＢへとエンコードされてもよいことを決定してもよい。１つの実施形態によれば、ｅＮＢ１０４は、アグリゲーションレベル２においてＤＣＩが指数０、１、３、４、６、７、９、１０、１２、１３、１５、１６を伴うＶＲＢへとエンコードされてもよいことを決定してもよい。他のアグリゲーションレベルに関するサーチスペース候補は図３Ｂに示されている。
【００３８】
図４Ａは、ｅＮＢ１０４が方程式１とは異なる方程式にしたがって規定してもよいサーチスペース設計を示す。様々な実施形態によれば、ｅＮＢ１０４は、以下にしたがって、サーチスペース候補をアグリゲーションレベル１およびアグリゲーションレベル２内で均一に分配してもよい。
【数３８】
0005885854.tif 000039
（方程式３）
方程式３において、
【数３９】
0005885854.tif 000040
は、この場合も、ＤＣＩがエンコードされてもよいＶＲＢの指数を表わしてもよい。
【数４０】
0005885854.tif 000041
およびＭ（Λ）は前述したものと同じであってもよい。
【００３９】
図４Ａは、
【数４１】
0005885854.tif 000042
であり且つアグリゲーションレベル｛１，２，４，８｝が｛６，６，２，２｝サーチスペース候補をそれぞれ含む場合に、１つの実施形態によれば、ｅＮＢ１０４が隣接するサーチスペース候補間のギャップを対応するアグリゲーションレベル｛１，２，４，８｝に関して少なくとも｛１，０，４，０｝となるように決定してもよいことを示す。
【００４０】
ｅＮＢ１０４は、図４Ａに示されるように、方程式３を使用して、ＤＣＩがエンコードされてもよいＶＲＢ指数を決定してもよい。例えば、１つの実施形態によれば、ｅＮＢ１０４は、方程式３にしたがって、アグリゲーションレベル１においてＤＣＩが指数０、２、４、６、８、１０を伴うＶＲＢへとエンコードされてもよいことを決定してもよい。１つの実施形態によれば、ｅＮＢ１０４は、アグリゲーションレベル２においてＤＣＩが指数０−１１を伴うＶＲＢへとエンコードされてもよいことを決定してもよい。アグリゲーションレベル４およびアグリゲーションレベル８に関して、Ｅ−ＰＤＣＣＨリソース
【数４２】
0005885854.tif 000043
におけるサーチスペース候補の分配例が図４Ａに示される。
【００４１】
図４Ｂは、
【数４３】
0005885854.tif 000044
の場合に、ｅＮＢ１０４が方程式３を使用することにより規定してもよいサーチスペース設計を示す。図４Ａは、
【数４４】
0005885854.tif 000045
であり且つアグリゲーションレベル｛１，２，４，８｝が｛６，６，２，２｝サーチスペース候補をそれぞれ含む場合に、１つの実施形態によれば、ｅＮＢ１０４が隣接するサーチスペース候補間のギャップを対応するアグリゲーションレベル｛１，２，４，８｝に関して｛３，２，８，４｝となるように決定してもよいことを示す。
【００４２】
ｅＮＢ１０４は、図４Ｂに示されるように、方程式３を使用して、ＤＣＩがエンコードされてもよいＶＲＢ指数を決定してもよい。例えば、１つの実施形態によれば、ｅＮＢ１０４は、方程式３にしたがって、アグリゲーションレベル１においてＤＣＩが指数０、４、８、１２、１６、２０を伴うＶＲＢへとエンコードされてもよいことを決定してもよい。１つの実施形態によれば、ｅＮＢ１０４は、アグリゲーションレベル２においてＤＣＩが指数０、１、４、５、８、９、１２、１３、１６、１７、２０、２１を伴うＶＲＢへとエンコードされてもよいことを決定してもよい。アグリゲーションレベル４、８に関して、Ｅ−ＰＤＣＣＨリソース
【数４５】
0005885854.tif 000046
におけるＥ−ＰＤＣＣＨ候補の分配例が図４Ｂに示される。
【００４３】
図５は、ｅＮＢ１０４が方程式１および方程式３以外の方程式を使用することにより規定してもよいサーチスペース設計を示す。１つの実施形態によれば、ｅＮＢ１０４は、どこでサーチスペース候補セットが始まるのか、およびサーチスペース候補セットが幾つのＶＲＢを占めるのかを示す情報をＵＥ１０８へ与えてもよい。ｅＮＢ１０４は、メッセージ認証コード（ＭＡＣ）または無線リソース制御（ＲＲＣ）信号伝達を介して、β（Λ）などの２ビット候補識別子をＵＥ１０８へ与えてもよい。ｅＮＢ１０４は、以下にしたがってサーチスペース候補割り当てを決定してもよい。
【数４６】
0005885854.tif 000047
（方程式４）  ここで、β（Λ）は、候補セット０において「００」に等しくてもよく、候補セット１において「０１」に等しくてもよく、候補セット２において「１０」に等しくてもよい。図５に示されるよりも多い或いは少ないサーチスペース候補セットを示すために、更に大きい或いは更に小さいビットがｅＮＢ１０４によって使用されてもよい。方程式４の他のパラメータは、先と同じ意味を有してもよい。
【００４４】
前述の技術は、様々な実施形態において、ＵＥのためのＤＣＩをスケジューリングするためにＥ−ＰＤＣＣＨを使用することによってＰＤＣＣＨの能力を拡張する。様々な実施形態によれば、そのような手法により、ｅＮＢ１０４は、周波数選択利得および周波数ダイバーシティ利得を増大させるために周波数選択的スケジューリングを行なうことができる。
【００４５】
図６は、実施形態にしたがってｅＮＢ１０４を動作させる方法のフロー図を示す。
【００４６】
ブロック６０２は、ＤＣＩのアグリゲーションレベルと、Ｅ−ＰＤＣＣＨのＶＲＢの数と、候補セット識別子とに基づいて、Ｅ−ＰＤＣＣＨのサーチスペース候補のセットを決定するとともに、そのサーチスペース候補のセットをＤＣＩの想定し得るベアラとなるように決定することを含んでもよい。実施形態では、エンコーダモジュール１３２が決定を行なってもよい。他の実施形態において、サーチスペース候補のセットの決定は、
【数４７】
0005885854.tif 000048
に基づいてもよい。
式中、
【数４８】
0005885854.tif 000049
は、所定数のＶＲＢのうちの１つの指数であり、式中、β（Λ）は候補セット識別子であり、式中、ΛはＤＣＩのアグリゲーションレベルであり、式中、
【数４９】
0005885854.tif 000050
はＶＲＢの数であり、式中、ｍ＝０，...，Ｍ（Λ）−１であり、Ｍ（Λ）は、監視すべきセットのサーチスペース候補の数であり、また、式中、ｉ＝０，...，（Λ−１）である。
【００４７】
ブロック６０４は、サーチスペース候補のセットから１つ以上のＶＲＢを選択することを含んでもよい。
【００４８】
ブロック６０６は、サーチスペース候補のセットと関連する所定数のＶＲＢのうちの幾つかへＤＣＩをエンコードすることを含んでもよい。
【００４９】
ブロック６０８は、ダウンリンクフレームでのユーザ機器への送信のためにＥ−ＰＤＣＣＨの所定数のＶＲＢを物理リソースブロック（ＰＲＢ）へマッピングすることを含んでもよい。
【００５０】
図７は、実施形態にしたがってｅＮＢ１０４を動作させる方法のフロー図を示す。
【００５１】
ブロック７０２は、ＤＣＩのアグリゲーションレベルと、Ｅ−ＰＤＣＣＨのＶＲＢの数と、候補セット識別子とに基づいて、Ｅ−ＰＤＣＣＨのサーチスペース候補のセットを決定するとともに、そのサーチスペース候補のセットをＤＣＩの想定し得るベアラとなるように決定することを含んでもよい。
【００５２】
ブロック７０４は、サーチスペース候補のセットから１つ以上のＶＲＢを選択することを含んでもよい。
【００５３】
ブロック７０６は、サーチスペース候補のセットと関連する所定数のＶＲＢのサブセットへＤＣＩをエンコードすることを含んでもよい。実施形態において、エンコードは、所定数のＶＲＢ間で等しい所定の間隔を伴ってサブセットを分配することを含んでもよい。
【００５４】
ブロック７０８は、ダウンリンクフレームでのユーザ機器への送信のためにＥ−ＰＤＣＣＨの所定数のＶＲＢを物理リソースブロック（ＰＲＢ）へマッピングすることを含んでもよい。
【００５５】
本明細書中に記載されるｅＮＢ１０４およびＵＥ１０８は、望み通りに構成するのに適した任意のハードウェアおよび／またはソフトウェアを使用するシステムに実装されてもよい。図８は、１つの実施形態におけるシステム８００の一例を示し、このシステム８００は、１つ以上のプロセッサ８０４と、プロセッサ８０４のうちの少なくとも１つと結合されるシステム制御論理８０８と、システム制御論理８０８と結合されるシステムメモリ８１２と、システム制御論理８０８と結合される不揮発性メモリ（ＮＶＭ）／記憶装置８１６と、システム制御論理８０８と結合されるネットワークインタフェース８２０とを備える。
【００５６】
プロセッサ８０４は１つ以上のシングルコアプロセッサまたはマルチコアプロセッサを含んでもよい。プロセッサ８０４は、汎用プロセッサと専用プロセッサ（例えば、グラフィックプロセッサ、アプリケーションプロセッサ、ベースバンドプロセッサなど）との任意の組み合わせを含んでもよい。システム８００がＵＥ１０８を実装する一実施形態において、プロセッサ８０４は、プロセッサモジュール１４８を含んでもよく、また、様々な実施形態にしたがって図２〜図５の実施形態のサーチスペース候補を特定してデコードするように構成されてもよい。システム８００がｅＮＢ１０４を実装する実施形態において、プロセッサ８０４は、プロセッサモジュール１２０を含んでもよく、また、様々な実施形態にしたがってＤＣＩを特定して図２〜図５の実施形態のサーチスペース候補へとＤＣＩをエンコードするように構成されてもよい。
【００５７】
１つの実施形態におけるシステム制御論理８０８は、プロセッサ８０４のうちの少なくとも１つへの任意の適したインタフェースおよび／またはシステム制御論理８０８と通信する任意の適したデバイスまたはコンポーネントへの任意の適したインタフェースをもたらすために任意の適したインタフェースコントローラを含んでもよい。
【００５８】
１つの実施形態におけるシステム制御論理８０８は、システムメモリ８１２へのインタフェースを与えるために１つ以上のメモリコントローラを含んでもよい。システムメモリ８１２は、例えばシステム８００のためのデータおよび／または命令を取り込んで記憶するために使用されてもよい。１つの実施形態におけるシステムメモリ８１２は、例えば適したダイナミックランダムアクセスメモリ（ＤＲＡＭ）などの任意の適した揮発性メモリを含んでもよい。
【００５９】
ＮＶＭ／記憶装置８１６は、例えばデータおよび／または命令を記憶するために使用される１つ以上の有形持続性コンピュータ可読媒体を含んでもよい。ＮＶＭ／記憶装置８１６は、例えばフラッシュメモリなどの任意の適した不揮発性メモリを含んでもよく、および／または、例えば１つ以上のハードディスクドライブ（ＨＤＤ）、１つ以上のコンパクトディスク（ＣＤ）ドライブ、および／または、１つ以上のデジタル汎用ディスク（ＤＶＤ）ドライブなどの任意の適した不揮発性記憶デバイスを含んでもよい。
【００６０】
ＮＶＭ／記憶装置８１６は、システム８００が設けられるデバイスの記憶リソースの物理的に一部分を含んでもよく、または前記デバイスによってアクセスできてもよいが、必ずしもデバイスの一部分でなくてもよい。例えば、ＮＶＭ／記憶装置８１６は、ネットワークインタフェース８２０を介してネットワークにわたってアクセスされてもよい。
【００６１】
システムメモリ８１２およびＮＶＭ／記憶装置８１６はそれぞれ、特に、命令８２４の一時的なコピーおよび持続的なコピーを含んでもよい。命令８２４は、プロセッサ８０４のうちの少なくとも１つによって実行されるときに、本明細書中に記載される図２〜図５のサーチスペース設計のうちの１つおよび／または本明細書中に記載される図６〜図７の方法のうちの１つを実施する、システム８００をもたらす命令を含んでもよい。幾つかの実施形態において、命令８２４、またはハードウェア、ファームウェア、および／または、そのソフトウェアコンポーネントは、これに加えておよび／またはこれに代えて、システム制御論理８０８、ネットワークインタフェース８２０、および／または、プロセッサ８０４に位置付けられてもよい。
【００６２】
ネットワークインタフェース８２０は、無線インタフェースをシステム８００に与えて１つ以上のネットワークにわたって通信するおよび／または任意の他の適したデバイスと通信するためにトランシーバ８２２を有してもよい。トランシーバ８２２は、受信モジュール１１２および／または送信モジュール１１６を実施してもよい。様々な実施形態では、トランシーバ８２２がシステム８００の他のコンポーネントと一体であってもよい。例えば、トランシーバ８２２は、プロセッサ８０４のうちの１つのプロセッサ、システムメモリ８１２のメモリ、およびＮＶＭ／記憶装置８１６のＮＶＭ／記憶装置を含んでもよい。ネットワークインタフェース８２０は任意の適したハードウェアおよび／またはファームウェアを含んでもよい。ネットワークインタフェース８２０は、多入力、多出力無線インタフェースを与えるために複数のアンテナを含んでもよい。１つの実施形態におけるネットワークインタフェース８２０は、例えば、ネットワークアダプタ、無線ネットワークアダプタ、電話モデム、および／または、無線モデムを含んでもよい。
【００６３】
１つの実施形態において、プロセッサ８０４のうちの少なくとも１つは、システム制御論理８０８の１つ以上のコントローラのための論理と一緒にパッケージングされてもよい。１つの実施形態において、プロセッサ８０４のうちの少なくとも１つは、システム・イン・パッケージ（ＳｉＰ）を形成するために、システム制御論理８０８の１つ以上のコントローラのための論理と一緒にパッケージングされてもよい。１つの実施形態において、プロセッサ８０４のうちの少なくとも１つは、システム制御論理８０８の１つ以上のコントローラのための論理と共に同じダイ上に組み込まれてもよい。１つの実施形態において、プロセッサ８０４のうちの少なくとも１つは、システム・オン・チップ（ＳｏＣ）を形成するためにシステム制御論理８０８の１つ以上のコントローラのための論理と共に同じダイ上に組み込まれてもよい。
【００６４】
システム８００は、入力／出力（Ｉ／Ｏ）デバイス８３２を更に含んでもよい。Ｉ／Ｏデバイス８３２は、システム８００とのユーザ相互作用を可能にするように形成されるユーザインタフェース、システム８００との周辺コンポーネント相互作用を可能にするように形成される周辺コンポーネントインタフェース、および／または、システム８００に関連する環境条件および／または位置情報を決定するように形成されるセンサを含んでもよい。
【００６５】
様々な実施形態において、ユーザインタフェースは、ディスプレイ（例えば、液晶ディスプレイ、タッチスクリーンディスプレイなど）、スピーカ、マイクロフォン、１つ以上のカメラ（例えば、スチルカメラおよび／またはビデオカメラ）、フラッシュライト（例えば、発光ダイオードフラッシュ）、およびキーボードを含むことができるが、これらに限定されない。
【００６６】
様々な実施形態において、周辺コンポーネントインタフェースは、不揮発性メモリポート、オーディオジャック、および電源インタフェースを含んでもよいが、これらに限定されない。
【００６７】
様々な実施形態において、センサは、ジャイロセンサ、加速度計、近接センサ、周辺光センサ、およびポジショニングユニットを含んでもよいが、これらに限定されない。ポジショニングユニットは、ポジショニングネットワークのコンポーネント、例えばグローバルポジショニングシステム（ＧＰＳ）衛星と通信するために、ネットワークインタフェース８２０の一部であってもよく、またはネットワークインタフェース８２０と相互に作用してもよい。
【００６８】
様々な実施形態において、システム８００は、ラップトップコンピュータデバイス、タブレットコンピュータデバイス、ネットブック、スマートフォンなどの携帯コンピュータデバイスであってもよいが、これらに限定されない。様々な実施形態において、システム８００は、更に多くの或いは更に少ないコンポーネントおよび／または異なるアーキテクチャを有してもよい。
【００６９】
実施形態の様々な例によれば、装置は、エンハンスド物理ダウンリンク制御チャネル（Ｅ−ＰＤＣＣＨ）のサーチスペース候補のセットを、ダウンリンク制御情報（ＤＣＩ）のアグリゲーションレベルと、隣接するサーチスペース候補間の所定の間隔と、Ｅ−ＰＤＣＣＨの仮想リソースブロック（ＶＲＢ）の数とに基づいて決定するとともに、そのサーチスペース候補のセットをＤＣＩのベアラとなる可能性があるものとなるように決定するべく構成されるエンコーダを含んでもよい。エンコーダは、サーチスペース候補のセットから１つ以上のＶＲＢを選択して、選択されたＶＲＢへとＤＣＩをエンコードするように構成されてもよい。また、装置は、ダウンリンクフレームでのユーザ機器への送信のためにＥ−ＰＤＣＣＨのＶＲＢを物理リソースブロック（ＰＲＢ）へマッピングするように構成されるマッパーを含んでもよい。
【００７０】
実施形態では、装置がｅＮｏｄｅＢを含んでもよい。
【００７１】
実施形態において、ＰＲＢは、Ｅ−ＰＤＣＣＨと関連する物理ダウンリンク共有チャネル（ＰＤＳＣＨ）からの所定数のリソースブロックを含んでもよい。
【００７２】
実施形態において、ＰＤＳＣＨは、第３世代パートナーシッププロジェクト（３ＧＰＰ）ロングタームエボリューション−アドバンスト（ＬＴＥ−Ａ）通信規格のリリース１０によって規定されてもよい。
【００７３】
実施形態において、選択されたＶＲＢ間の所定の間隔は、Ｅ−ＰＤＣＣＨの所定数のＶＲＢ間の選択されたＶＲＢの均一な分配に基づいてもよい。
【００７４】
実施形態において、エンコーダは、選択されたＶＲＢ間の所定の間隔をＤＣＩのアグリゲーションレベルに基づいて決定するように更に構成されてもよい。
【００７５】
実施形態において、アグリゲーションレベルは、第１、第２、第３、および第４のＤＣＩアグリゲーションレベルを含む複数のＤＣＩアグリゲーションレベルのうちの１つであってもよい。
【００７６】
実施形態において、エンコーダは、アグリゲーションレベルと関連する隣接するサーチスペース候補から１つ以上のＶＲＢを選択するように構成されてもよい。
【００７７】
実施形態において、エンコーダは、それぞれのＥ−ＰＤＣＣＨ送信のためのＶＲＢの最小指数が２の倍数となるようにするために、サーチスペース候補のセットから１つ以上のＶＲＢを選択するように構成されてもよい。
【００７８】
実施形態において、エンコーダは、
【数５０】
0005885854.tif 000051
に基づき、それぞれのＥ−ＰＤＣＣＨ送信のためのＶＲＢの最小指数が２の倍数となるようにするために、サーチスペース候補のセットから１つ以上のＶＲＢをＤＣＩの想定し得るベアラとなるように選択するべく構成されてもよい。Λは、複数のアグリゲーションレベルのうちの１つであってもよい。
【数５１】
0005885854.tif 000052
は、サブフレームｋにおけるアグリゲーションレベルΛと関連するＥ−ＰＤＣＣＨ送信のための所定数のＶＲＢのうちの１つの指数であってもよい。
【数５２】
0005885854.tif 000053
は、複数のアグリゲーションレベルΛのうちの１つと関連する隣接するサーチスペース候補間のＶＲＢ間隔であってもよい。
【数５３】
0005885854.tif 000054
は、ＶＲＢ間隔計算のために上位層信号伝達によって予め規定される１つのパラメータであってもよい。
【数５４】
0005885854.tif 000055
は、Ｅ−ＰＤＣＣＨ送信のために割り当てられるＶＲＢの数であってもよい。ｍ＝０，...，Ｍ（Λ）−１である。Ｍ（Λ）は、複数のアグリゲーションレベルΛのうちの１つと関連する選択されたＶＲＢの数であってもよい。ｉ＝０，...，（Λ−１）である。
【００７９】
実施形態において、
【数５５】
0005885854.tif 000056
はＶＲＢのベースライン数であってもよく、また、エンコーダは、ＶＲＢの数
【数５６】
0005885854.tif 000057
が
【数５７】
0005885854.tif 000058
よりも大きい場合には、ＶＲＢの数
【数５８】
0005885854.tif 000059
とベースライン数
【数５９】
0005885854.tif 000060
との間の差に基づいて、選択されたＶＲＢ間に更なる所定の間隔を挿入するように更に構成されてもよい。
【００８０】
実施形態において、エンコーダは、
【数６０】
0005885854.tif 000061
である場合には、
【数６１】
0005885854.tif 000062
に基づき、サーチスペース候補のセットから１つ以上のＶＲＢをＤＣＩの想定し得るベアラとなるように選択するべく構成されてもよい。
Λは、複数のアグリゲーションレベルのうちの１つであってもよい。
【数６２】
0005885854.tif 000063
は、サブフレームｋにおける複数のアグリゲーションレベルΛのうちの１つと関連するＥ−ＰＤＣＣＨ送信のための所定数のＶＲＢのうちの１つの指数であってもよい。
式中、
【数６３】
0005885854.tif 000064
であり、式中、
【数６４】
0005885854.tif 000065
は、Ｅ−ＰＤＣＣＨ送信のために割り当てられるＶＲＢの数である。式中、ｍ＝０，...，Ｍ（Λ）−１であり、Ｍ（Λ）は、複数のアグリゲーションレベルΛのうちの１つと関連する選択されたＶＲＢの数である。ｉ＝０，...，（Λ−１）である。
【００８１】
実施形態において、エンコーダは、
【数６５】
0005885854.tif 000066
である場合には、
【数６６】
0005885854.tif 000067
に基づき、サーチスペース候補のセットから１つ以上のＶＲＢをＤＣＩの想定し得るベアラとなるように選択するべく構成されてもよい。Λは、複数のアグリゲーションレベルのうちの１つであってもよい。
【数６７】
0005885854.tif 000068
は、サブフレームｋにおける複数のアグリゲーションレベルΛのうちの１つと関連するＥ−ＰＤＣＣＨ送信のための所定数のＶＲＢのうちの１つの指数であってもよい。
【数６８】
0005885854.tif 000069
は、Ｅ−ＰＤＣＣＨ送信のために割り当てられるＶＲＢの数であってもよい。ｍ＝０，...，Ｍ（Λ）−１である。Ｍ（Λ）は、Λと関連する選択されたＶＲＢの数であってもよい。ｉ＝０，...，（Λ−１）である。
【００８２】
実施形態において、エンコーダは、
【数６９】
0005885854.tif 000070
に基づき、サーチスペース候補のセットから１つ以上のＶＲＢを選択するように構成されてもよい。Λは、複数のアグリゲーションレベルのうちの１つであってもよい。
【数７０】
0005885854.tif 000071
は、サブフレームｋにおける複数のアグリゲーションレベルΛのうちの１つと関連するＤＣＩを受けるための所定数のＶＲＢのうちの１つの指数であってもよい。
【数７１】
0005885854.tif 000072
はＶＲＢの数であってもよく、式中
【数７２】
0005885854.tif 000073
は、複数のアグリゲーションレベルΛのうちの１つと関連する隣接するサーチスペース候補間のＶＲＢ間隔であってもよい。ｍ＝０，...，Ｍ（Λ）−１であり、また、Ｍ（Λ）は、複数のアグリゲーションレベルΛのうちの１つと関連する選択されたＶＲＢの数であってもよい。ｉ＝０，...，（Λ−１）である。
【００８３】
実施形態において、エンコーダは、
【数７３】
0005885854.tif 000074
に基づき、サーチスペース候補のセットから１つ以上のＶＲＢを選択するように構成されてもよい。ΛはＤＣＩのアグリゲーションレベルである。
【数７４】
0005885854.tif 000075
は、サブフレームｋにおけるアグリゲーションレベルΛと関連するＥ−ＰＤＣＣＨ送信のための所定数のＶＲＢのうちの１つの指数であってもよい。β（Λ）は候補セット識別子であってもよい。
【数７５】
0005885854.tif 000076
はＶＲＢの数であってもよい。ｍ＝０，...，Ｍ（Λ）−１であり、また、Ｍ（Λ）は、Λと関連する選択されたＶＲＢの数であってもよい。ｉ＝０，...，（Λ−１）である。
【００８４】
実施形態の様々な例によれば、基地局は、アンテナと、開示された任意の実施形態の例の装置とを含んでもよい。
【００８５】
実施形態の様々な例によれば、１つ以上のコンピュータ可読媒体を有する製造品が多くの命令を含んでもよく、これらの命令は、１つ以上のプロセッサによって実行されるときに、ダウンリンク制御情報（ＤＣＩ）のアグリゲーションレベルと、Ｅ−ＰＤＣＣＨの仮想リソースブロック（ＶＲＢ）の数と、候補セット識別子とに基づき、エンハンスド物理ダウンリンク制御チャネル（Ｅ−ＰＤＣＣＨ）のサーチスペース候補のセットを装置に決定させるとともに、そのサーチスペース候補のセットをＤＣＩの想定し得るベアラとなるように装置に決定させてもよい。これらの命令により、装置は、サーチスペース候補のセットから１つ以上のＶＲＢを選択してもよく、また、サーチスペース候補のセットと関連する所定数のＶＲＢのうちの幾つかへＤＣＩをエンコードしてもよい。これらの命令により、装置は、ダウンリンクフレームでのユーザ機器への送信のためにＥ−ＰＤＣＣＨの所定数のＶＲＢを物理リソースブロック（ＰＲＢ）へマッピングしてもよい。
【００８６】
実施形態において、装置はｅＮｏｄｅＢを含んでもよい。
【００８７】
実施形態では、命令により、装置のエンコーダモジュールが、サーチスペース候補のセットを決定してもよく、１つ以上のＶＲＢを選択してもよく、ＤＣＩをエンコードしてもよい。
【００８８】
実施形態では、命令により、１つ以上のプロセッサは、所定数のＶＲＢ間で等しい所定の間隔を伴ってサブセットを分配してもよい。
【００８９】
実施形態の様々な例によれば、基地局は、アンテナと、他の実施形態で開示される製造品の命令を実行するように構成されるコンピュータシステムとを含んでもよい。
【００９０】
実施形態の様々な例によれば、装置は、エンハンスド物理ダウンリンク制御チャネル（Ｅ−ＰＤＣＣＨ）を介して基地局から１つ以上のダウンリンク送信を受けるように構成される通信モジュールを含んでもよい。装置はデコーダモジュールを含んでもよく、該デコーダモジュールは、通信モジュールに結合され、ダウンリンク制御情報（ＤＣＩ）のアグリゲーションレベルとＥ−ＰＤＣＣＨの仮想リソースブロック（ＶＲＢ）の数とに基づいてサーチスペース候補のセットを特定するように構成されるとともに、サーチスペース候補のセットをブラインドデコードしてＤＣＩを検索するように構成される。
【００９１】
実施形態において、デコーダモジュールは、アグリゲーションレベルとＶＲＢの数とに基づいてサーチスペース候補のうちの隣接する候補間のＶＲＢのギャップの数を決定するように更に構成されてもよい。
【００９２】
実施形態において、サーチスペース候補は、第１および第２のアグリゲーションレベルにおいて所定数のＶＲＢにわたって等間隔で離間されてもよい。
【００９３】
実施形態において、デコーダモジュールまたは通信モジュールのうちの一方は、ｅＮｏｄｅＢから受信された通信信号の強度に基づいてＤＣＩのいずれのアグリゲーションレベルをデコードすべきかを決定してもよい。
【００９４】
説明目的のために特定の実施形態を本明細書中で例示して記載してきたが、本開示の範囲から逸脱することなく、同じ目的を達成するように計算された多種多様な代わりのおよび／または等価な実施形態または実施が、図示して説明された実施形態の代わりに用いられてもよい。この出願は、本明細書中で論じられた実施形態の任意の改変または変形を網羅するように意図される。したがって、本明細書中に記載される実施形態が特許請求の範囲およびその等価物のみによって限定されることが明らかに意図される。
【図１】
0005885854.tif 000103
【図２Ａ】
0005885854.tif 000104
【図２Ｂ】
0005885854.tif 000105
【図３Ａ】
0005885854.tif 000106
【図３Ｂ】
0005885854.tif 000107
【図４Ａ】
0005885854.tif 000108
【図４Ｂ】
0005885854.tif 000109
【図５】
0005885854.tif 000110
【図６】
0005885854.tif 000111
【図７】
0005885854.tif 000112
【図８】
0005885854.tif 000113